(57)【要約】【課題】長期に亘って所望の転写圧を維持し、適正転写圧の異なる記録媒体に形成する画像の品質を向上する。【解決手段】感光体（１）に形成されたトナー像を中間転写体（２２）に転写する時に、転写ローラー（２１）により中間転写体を感光体に押圧して発生させる転写圧を切り替える転写圧切替機構であって、転写ローラーをバネにより感光体側に付勢して第１転写圧を発生させるバネ押圧と、転写ローラーを当該転写ローラーの自重により感光体側に付勢して第１転写圧より低い第２転写圧を発生させる自重押圧と、を切り替え可能に構成された転写圧切替機構である。【選択図】図１
2020173305.tif 000002
【特許請求の範囲】
【請求項１】
画像形成装置における感光体に形成されたトナー像を中間転写体に転写する時に転写ローラーにより前記中間転写体を前記感光体に押圧して発生させる転写圧を、切り替える転写圧切替機構であって、
前記転写ローラーをバネにより前記感光体側に付勢して第１転写圧を発生させるバネ押圧と、前記転写ローラーを当該転写ローラーの自重により前記感光体側に付勢して前記第１転写圧より低い第２転写圧を発生させる自重押圧と、を切り替え可能に構成された転写圧切替機構。
【請求項２】
前記自重押圧のために、前記転写ローラーの軸を下方ほど前記感光体側に変位するように案内し規制する規制部材を有し、
前記バネ押圧のために、バネ力を発生する押圧バネと、当該押圧バネのバネ力により前記転写ローラーの軸を押圧することにより、前記規制部材による案内から解除しつつさらに前記感光体側に変位させることで前記第１転写圧を実現するバネ押圧軸受とを有し、
前記第２転写圧を実現するために前記バネ押圧軸受の当該軸からの退避の操作が可能とされた請求項１に記載の転写圧切替機構。
【請求項３】
前記バネ押圧の方向は、前記規制部材による案内方向に対し交差する請求項２に記載の転写圧切替機構。
【請求項４】
前記バネ押圧の方向は、水平方向である請求項３に記載の転写圧切替機構。
【請求項５】
前記規制部材は、前記バネ押圧軸受の押圧による前記転写ローラーの軸の変位を自由とするように構成された請求項２から請求項４のうちいずれか一に記載の転写圧切替機構。
【請求項６】
前記バネ押圧軸受の軸受面は、前記転写ローラーの軸をバネ押圧時に捕捉し、前記退避時に開放して前記転写ローラーの軸の前記規制部材による案内を許容するように形成されている請求項２から請求項５のうちいずれか一に記載の転写圧切替機構。
【請求項７】
前記退避時、前記バネ押圧軸受の軸受面の上側面は、前記感光体側からの押し返し時における前記転写ローラーの軸の前記規制部材による上方への案内を抑制する位置に配置される請求項６に記載の転写圧切替機構。
【請求項８】
前記規制部材による案内方向は、鉛直方向及び水平方向に対して傾斜している請求項２から請求項７のうちいずれか一に記載の転写圧切替機構。
【請求項９】
前記バネ押圧軸受の退避の操作を行うカム機構を有する請求項２から請求項８のうちいずれか一に記載の転写圧切替機構。
【請求項１０】
前記転写ローラーを前記感光体側から退避させて前記転写ローラーによる転写圧を解除する転写圧解除の操作が可能とされ、
前記バネ押圧軸受の退避による前記自重押圧、前記バネ押圧軸受の前進による前記バネ押圧、及び前記転写圧解除の３状態を切り替え可能なカム機構を有する請求項２から請求項８のうちいずれか一に記載の転写圧切替機構。
【請求項１１】
前記カム機構は、前記３状態をそれぞれカムの異なる回転位相で実現する請求項１０に記載の転写圧切替機構。
【請求項１２】
前記カム機構は、前記自重押圧に対応した回転位相と、前記バネ押圧に対応した回転位相との相互転換が、前記転写圧解除に対応した回転位相を通過せずに可能とされている請求項１０に記載の転写圧切替機構。
【請求項１３】
前記転写ローラーへの転写バイアス電圧の給電経路が、前記規制部材と、前記規制部材に規制され前記転写ローラーの軸を保持する軸受との接点を介して設けられている請求項２から請求項１２のうちいずれか一に記載の転写圧切替機構。
【請求項１４】
前記規制部材と前記バネ押圧軸受とは、前記バネ押圧軸受が前記転写ローラーの軸方向中央に比較的近い内側、前記規制部材が比較的遠い外側に配置されている請求項２から請求項１３のうちいずれか一に記載の転写圧切替機構。
【請求項１５】
前記転写ローラーは両持ち軸受けされ、前記転写ローラーの軸の両端のそれぞれに、前記規制部材、前記押圧バネ及び前記バネ押圧軸受が対称的に設けられている請求項２から請求項１４のうちいずれか一に記載の転写圧切替機構。
【請求項１６】
前記転写ローラーの中心軸は、前記感光体の中心軸に対して上に配置される請求項１から請求項１５のうちいずれか一に記載の転写圧切替機構。
【請求項１７】
前記規制部材は、前記転写ローラーの軸に嵌められた軸受を、自らに形成された規制溝で案内し規制することで、前記転写ローラーの軸を下方ほど前記感光体側に変位するように案内し規制する構成を有し、
前記規制溝の下端部には、前記自重押圧を許容する逃げが形成され、
前記規制溝の感光体側には、前記バネ押圧を許容する逃げが形成されている請求項５に記載の転写圧切替機構。
【発明の詳細な説明】
【技術分野】
【０００１】
本発明は、画像形成装置における転写圧切替機構に関する。
【背景技術】
【０００２】
電子写真方式の画像形成装置において、感光体に形成されたトナー像を中間転写体に転写（一次転写）し、中間転写体から記録媒体（用紙）に転写（二次転写）することが行われる。一次転写においては、一次転写ローラーにより中間転写体を感光体に押圧する。このとき、中間転写ベルト（転写先）と感光体（転写元）とが転写部で圧接する圧力を転写圧という。
【０００３】
転写圧は、転写性を良好にするように適切に設計されるべきであるが、エンボス紙と普通紙などの転写性の異なる複数種の用紙を扱う画像形成装置にあっては、異なる転写圧に切り替える必要性も生じる。
特許文献１に記載の発明にあっては、記録媒体の種類に応じて、一次転写の転写圧を切り替える。具体的には、表面に凹凸が形成されたエンボス紙では、普通紙より一次転写圧を低く設定する。また、特許文献１に記載の発明にあっては、一次転写圧を複数のバネの弾性力により発生させ、一次転写圧の切り替えのために一部のバネの解除操作を行う。
【先行技術文献】
【特許文献】
【０００４】
【特許文献１】特開２０１０−１３９９５５号公報
【発明の概要】
【発明が解決しようとする課題】
【０００５】
しかし、転写圧を切替可能にする転写圧切替機構において、転写圧をバネの弾性力のみに頼る場合にあっては、切替え動作の影響もあってバネの疲労、劣化が激しくなるおそれがあり、長期に亘って所望の転写圧を維持することが困難である。
特にエンボス紙の場合は普通紙に比較して、一次転写圧が小さく（例えば、普通紙の転写圧の１０分の１）設定され、許容差も小さくなるから、転写圧の変化による転写性への影響が顕著である。したがって、転写圧が低く設定される方は、永続的に一定の転写圧を維持できる手段の必要性が高い。
【０００６】
本発明は以上の従来技術における問題に鑑みてなされたものであって、画像形成装置においてトナー像を転写する転写圧を切替可能にする転写圧切替機構において、長期に亘って所望の転写圧を維持し、適正転写圧の異なる記録媒体に形成する画像の品質を向上することを課題とする。
【課題を解決するための手段】
【０００７】
以上の課題を解決するための発明の一態様は、画像形成装置における感光体に形成されたトナー像を中間転写体に転写する時に転写ローラーにより前記中間転写体を前記感光体に押圧して発生させる転写圧を、切り替える転写圧切替機構であって、
前記転写ローラーをバネにより前記感光体側に付勢して第１転写圧を発生させるバネ押圧と、前記転写ローラーを当該転写ローラーの自重により前記感光体側に付勢して前記第１転写圧より低い第２転写圧を発生させる自重押圧と、を切り替え可能に構成された転写圧切替機構である。
【発明の効果】
【０００８】
本発明によれば、画像形成装置においてトナー像を転写する転写圧を切替可能にする転写圧切替機構において、重力の普遍性により長期に亘って所望の第２転写圧を維持することができ、適正転写圧の異なる記録媒体に形成する画像の品質を向上することができる。
また、比較的高圧の第１転写圧をバネ力により実現し、比較的低圧の第２転写圧を転写ローラーの自重により実現するので、別途、重量物を装備する必要がないから、大型化及び重量増を回避することができるとともに、転写ローラーの自重による押圧より高圧の第１転写圧も得ることができ、適正転写圧の異なる記録媒体に形成する画像の品質を向上することができる。
【図面の簡単な説明】
【０００９】
【図１】本発明の一実施形態に係る中間転写ユニットの一次転写部をローラー軸方向に見た模式的構成図である。
【図２】本発明の一実施形態に係る規制部材等をローラー軸方向に見た模式的構成図である。
【図３】本発明の一実施形態に係る規制部材、バネ押圧軸受等をローラー軸方向に見た模式的構成図で、自重押圧の状態を示す。
【図４】本発明の一実施形態に係る規制部材、バネ押圧軸受等をローラー軸方向に見た模式的構成図で、バネ押圧の状態を示す。
【図５】本発明の一実施形態に係るバネ押圧軸受をローラー軸方向に見た模式的構成図ある。
【図６】本発明の一実施形態に係る規制部材、バネ押圧軸受等をローラー軸方向に見た模式的構成図で、バネ押圧の状態を示す。
【図７】本発明の一実施形態に係る中間転写ユニットの一次転写部を鉛直方向に見た模式的構成図で、バネ押圧の状態を示す。
【図８】本発明の一実施形態に係る規制部材、バネ押圧軸受等をローラー軸方向に見た模式的構成図で、自重押圧の状態を示す。
【図９】本発明の一実施形態に係る中間転写ユニットの一次転写部を鉛直方向に見た模式的構成図で、自重押圧の状態を示す。
【図１０】本発明の一実施形態に係る規制部材、バネ押圧軸受等をローラー軸方向に見た模式的構成図で、転写圧解除の状態を示す。
【図１１】本発明の一実施形態に係る中間転写ユニットの一次転写部を鉛直方向に見た模式的構成図で、転写圧解除の状態を示す。
【発明を実施するための形態】
【００１０】
以下に本発明の一実施形態につき図面を参照して説明する。以下は本発明の一実施形態であって本発明を限定するものではない。
【００１１】
図１は、本発明の一実施形態に係る画像形成装置に装備される中間転写ユニットの一次転写部を示す。
【００１２】
画像形成装置は、制御部、記憶部、通信部、操作パネル、給紙部、搬送部、画像形成部及び定着部等を備える。画像形成部は、イエロー（Ｙ）、マゼンタ（Ｍ）、シアン（Ｃ）及びブラック（Ｋ）等の各色の作像部と、一次転写領域とを有する。
【００１３】
作像部は、各色のトナーによる画像を形成する。各作像部は、像担持体としての感光体ドラム１を備える。感光体ドラム１の周囲に、図示しない帯電装置、露光装置、現像装置、クリーニング装置及びイレーサー等を備える。帯電装置は、感光体ドラム１の表面を一定の電位に一様に帯電させる。露光装置は、帯電装置によって帯電させられた感光体ドラム１の表面を露光し、画像データに応じた静電潜像を形成する。現像装置は、露光装置によって形成された静電潜像をトナー像に現像する。
【００１４】
中間転写ユニット２は、一次転写ローラー２１を保持する。中間転写ベルト２２は、トナー像が現像された位置の感光体ドラム１に接して感光体ドラム１と同期回転する。一次転写ローラー２１は、中間転写ベルト２２を感光体ドラム１に押圧して転写圧を発生させる。中間転写ベルト２２が感光体ドラム１と一次転写ローラー２１との間を略鉛直方向に通過する。一次転写ローラー２１には転写バイアス電圧が印加される。一次転写ローラー２１の転写圧と転写バイアス電圧とにより、感光体ドラム１によって搬送されてきたトナー像が、中間転写ベルト２２に転写される。クリーニング装置は、クリーニングブレード等によって感光体ドラム１上のトナー等を堰き止めて、感光体ドラム１を清掃する。イレーサーは、感光体ドラム１の表面を除電する。
【００１５】
中間転写体としての中間転写ベルト２２は、複数のローラーによって走行可能に支持された無端ベルトである。中間転写ベルト２２は、一次転写領域において転写されたトナー像を、二次転写領域に搬送し、二次転写領域において用紙に転写する。二次転写の後流に中間転写ベルト２２を清掃するクリーニング装置が設けられる。
【００１６】
さらに一次転写ローラー２１の保持機構、転写圧切替機構について説明する。
一次転写ローラー２１は、一次転写ローラー保持部２３に保持されている。一次転写ローラー保持部２３は、可動パネル２４を有する。可動パネル２４は、バネ２５、規制軸２６を介してフレーム２７上に設けられている。規制軸２６はフレーム２７に固定されている。可動パネル２４に設けられた規制溝２４ａに規制軸２６が規制される。バネ２５の一端はフレーム２７に固定され、他端は可動パネル２４に連結されている。可動パネル２４はバネ２５により感光体ドラム１側に付勢され、規制軸２６が規制溝２４ａに規制されて止まる。
【００１７】
自重押圧に関する構成、原理をここに説明する。
可動パネル２４には、規制部材２８が固定されている。規制部材２８には規制溝２９が形成されている。規制部材２８は、図２に示すように一次転写ローラー２１の軸２１ａに嵌められた滑動軸受３０を、自らに形成された規制溝２９で案内し規制する。
規制部材２８は、自重押圧のために、一次転写ローラー２１の軸２１ａを下方ほど感光体ドラム１側に変位するように案内し規制する。そのために、規制部材２８による案内方向、すなわち、規制溝２９の長手方向は、鉛直方向Ｚ及び水平方向（押圧方向Ｘ）に対して傾斜しており、下端が感光体ドラム１側に寄るように傾斜している。規制溝２９による案内方向の傾斜角θを鉛直方向Ｚに対する角度とする。
滑動軸受３０は、規制溝２９内で滑動可能にされており、一次転写ローラー２１の自重により下降することで、中間転写ベルト２２を感光体ドラム１に押圧する。規制溝２９の下端部には、自重押圧を許容する逃げ２９ａが形成されているので、感光体ドラム１に一次転写ローラー２１の自重と傾斜角θに応じた大きさの押圧力が作用する。一次転写ローラー２１の中心軸は、感光体ドラム１の中心軸１ａに対して上に配置される。これにより、一次転写ローラー２１による感光体ドラム１への押圧を確実にする。
以上が、自重押圧の原理である。すなわち、一次転写ローラー２１を当該一次転写ローラー２１の自重により感光体ドラム１側に付勢して第１転写圧より低い第２転写圧を発生させる自重押圧を実現する。但し、図３に示すようにバネ押圧軸受４０が退避位置にあるときに自重押圧が作用する。なお、バネ押圧による転写圧を第１転写圧、自重押圧による転写圧を第２転写圧としている。
【００１８】
次にバネ押圧に関する構成、原理について説明する。
バネ押圧のためにバネ力を発生する押圧バネ４１は、その一端が可動パネル２４に対して固定され、他端がバネ押圧軸受４０に連結されている。バネ押圧軸受４０は、図２に示す規制溝４２によって直動するように規制されている。バネ押圧軸受４０は、押圧バネ４１のバネ力により一次転写ローラー２１の軸２１ａを押圧することにより、規制部材２８による案内から解除しつつさらに感光体ドラム１側に変位させることで、バネ押圧による第１転写圧を実現する（図３→図４）。したがって、第１転写圧は第２転写圧より高くなる。
バネ押圧を有効とするために、規制部材２８は、バネ押圧軸受４０の押圧による一次転写ローラー２１の軸２１ａの変位を自由とするように構成されている。本実施形態にあっては、規制溝２９の下端部の感光体ドラム１側には、バネ押圧を許容する逃げ２９ｂが形成されていることで、上記自由を確保している。逃げ２９ａ、逃げ２９ｂを規制部材２８の外縁まで延ばしてもよいが、感光体ドラム１による一次転写ローラー２１の支えが無い時に、一次転写ローラー２１が落下するおそれがあるから、規制溝２９の下端部を閉じている。一方、規制溝２９の上端は、規制部材２８の外縁まで延ばし開放されており、上部から滑動軸受３０を挿入できるようにされている。規制溝２９の逃げ２９ａ及び逃げ２９ｂがある下端部より上部は、滑動軸受３０の幅に合わせた案内路２９ｃとされている。滑動軸受３０が規制溝２９の下端に落ちても、滑動軸受３０の上端部が案内路２９ｃから抜け出さない寸法に構成される。滑動軸受３０が感光体ドラム１からの押し返し等により上昇する動作を円滑にするためである。
【００１９】
押圧バネ４１及びバネ押圧軸受４０によるバネ押圧の方向は、規制部材２８による案内方向、すなわち、規制溝２９の長手方向に対し交差する。したがって、逃げ２９ｂもあるから、上述したように軸２１ａを規制部材２８による案内（自重押圧時の案内）から解除しつつさらに感光体ドラム１側に変位させることで、バネ押圧による第１転写圧を実現できる。
【００２０】
押圧バネ４１及びバネ押圧軸受４０によるバネ押圧の方向は、水平方向Ｘである。したがって、一次転写ローラー２１の重量によらず、押圧バネ４１の弾性特性のみによって所定の第１転写圧を実現できる。バネ押圧への切替時に一次転写ローラー２１を上下に運ぶ必要が無い。
以上のようにして、一次転写ローラー２１を押圧バネ４１により感光体ドラム１側に付勢して第１転写圧を発生させるバネ押圧を実現する。
【００２１】
バネ押圧軸受４０の拡大図を図５に示す。バネ押圧軸受４０の軸受面４０ａは、一次転写ローラー２１の軸２１ａをバネ押圧時（図４の時）に捕捉する奥側の幅狭部分４０ｂと、退避時（図３の時）に開放して一次転写ローラー２１の軸２１ａの規制部材２８による案内を許容するように形成された感光体ドラム側の幅広部分４０ｃとを、連結した軸受容空間を形成する。
特に、幅広部分４０ｃの下側面４０ｅは、幅狭部分４０ｂの下側面４０ｇに対して下方向に比較的大きな距離ｄ１がとられる。規制部材２８による案内を許容して、自重押圧を作用させるためである。
これに対して、幅広部分４０ｃの上側面４０ｄが、幅狭部分４０ｂの上側面４０ｆに対して上方向に離れる距離ｄ２は小さい。ｄ１＞ｄ２とし、ｄ２はゼロとしてもよい。
退避時（図３の時）に上側面４０ｄは、感光体ドラム１側からの押し返し時における一次転写ローラー２１の軸２１ａの規制部材２８による上方への案内を抑制する位置に配置される。すなわち、上側面４０ｄが軸２１ａの上方で規制溝２９を遮断し、軸２１ａの上側に接するか、隙間を隔てた位置に配置される。これにより、一次転写ローラー２１がバウンドして第２転写圧が不安定になることを防ぐ。
軸受面４０ａには、バネ押圧に切り替わる時に円滑に幅狭部分４０ｂに軸２１ａが捕捉されるように、幅狭部分４０ｂの前方に案内傾斜４０ｄ１，４０ｅ１が設けられている。但し、ｄ２＝０のとき案内傾斜４０ｄ１は設けられず、上側面４０ｆと上側面４０ｄが一平面上に配置される。案内傾斜４０ｄ１、案内傾斜４０ｅ１が設けられる部分は、幅狭部分４０ｂより幅広となるので、幅広部分４０ｃに含まれる。
【００２２】
次にバネ押圧（第１転写圧、高圧）と自重押圧（第２転写圧、低圧）との切替に関する構成、動作につき説明する。比較的高い第１転写圧を普通紙用に、比較的低い第２転写圧をエンボス紙用に適用することができる。また、本実施形態の転写圧切替機構は、転写圧解除の操作も可能とされる。以下の構成、動作により、バネ押圧（第１転写圧、高圧）、自重押圧（第２転写圧、低圧）及び転写圧解除の３状態を切り替える。
【００２３】
図６及び図７はバネ押圧（第１転写圧、高圧）の状態を示す。図８及び図９は自重押圧（第２転写圧、低圧）の状態を示す。図１０及び図１１は転写圧解除の状態を示す。図６，８，１０は、ローラー軸方向Ｙに見た図であり、図７，９，１１は、鉛直方向Ｚに見た図である。
【００２４】
図１から図５を参照して説明した構成に加えて、図６から図１１には、３状態を切替操作するカム機構が図示される。なお、図７，９，１１に示すように一次転写ローラー２１は両持ち軸受けされ、一次転写ローラー２１の軸２１ａの両端のそれぞれに、規制部材２８、押圧バネ４１及びバネ押圧軸受４０等を含む同様の構成が対称的に設けられている。
【００２５】
上記３状態を切替操作するカム機構は、第１カム５１と、第２カム５１と、カム駆動ギア５３と、カム駆動軸５４とを備える。
第１カム５１、第２カム５１及びカム駆動ギア５３がカム駆動軸５４により直列的に連結されている。カム駆動軸５４は、ローラー軸方向Ｙと平行に配置され、フレーム２７に回転自在に保持されている。図示しないステッピングモーターからの回転力がカム駆動ギア５３に伝達されて、第１カム５１及び第２カム５１が回転する。同モーターは、画像形成装置の制御部からの転写圧制御指令により動作する。
【００２６】
第１カム５１は、押圧バネ４１の押圧に抗うように、バネ押圧軸受４０の前端面（感光体ドラム１側の面）に当接するように配置される。第２カム５２は、バネ２５の押圧に抗うように、規制部材２８の前端面（感光体ドラム１側の面）に当接するように配置される。本実施形態では、第１カム５１の最大径部と、第２カム５２の最大径部は１８０°逆側とした。
図６及び図７に示すように、第１カム５１及び第２カム５２の最小半径部がそれぞれ、バネ押圧軸受４０、規制部材２８に当接する時、バネ押圧の状態となる。
【００２７】
図６及び図７に示すバネ押圧の状態から、時計回り（ＣＷ）に９０度回転させると、第１カム５１の最大径部がバネ押圧軸受４０をＸ軸の負の方向に押し退けて退避させ、図８及び図９に示す自重押圧の状態となる。図８及び図９に示すように押圧バネ４１が縮む。
このように第２転写圧を実現するためにバネ押圧軸受４０の軸２１ａからの退避の操作が可能とされている。
【００２８】
図６及び図７に示すバネ押圧の状態から、反時計回り（ＣＣＷ）に９０度回転させると、第２カム５２の最大径部が規制部材２８をＸ軸の負の方向に押し退けて退避させ、図１０及び図１１に示す転写圧解除の状態となる。図１０及び図１１に示すようにバネ２５が縮む。規制部材２８の退避により、可動パネル２４とともに一次転写ローラー２１を感光体ドラム１側から退避させて一次転写ローラー２１による転写圧を解除する。このように転写圧解除の操作が可能とされている。
【００２９】
以上のように本カム機構は、上記３状態をそれぞれカムの異なる回転位相で実現する。したがって、上記３状態から一つの状態を選択することが機械機構により確実に行うことができる。
また、以上のように簡素な構成で切替を行うことができる。
【００３０】
また、以上の説明でわかるように本カム機構は、自重押圧に対応した回転位相と、バネ押圧に対応した回転位相との相互転換が、転写圧解除に対応した回転位相を通過せずに可能とされている。したがって、普通紙とエンボス紙との切り替わりに応じてバネ押圧と自重押圧とを迅速に切り替えることができる。
【００３１】
図９にのみ図示するが、一次転写ローラー２１への転写バイアス電圧の給電経路６０が、規制部材２８と、規制部材２８に規制され一次転写ローラー２１の軸２１ａを保持する滑動軸受３０との接点を介して設けられている。規制部材２８と滑動軸受３０とは常に接触しており、滑動軸受３０は一次転写ローラー２１に常に接続されているので、バネ押圧時及び自重押圧時において転写バイアス電圧を一次転写ローラー２１へ給電することができる。
【００３２】
規制部材２８とバネ押圧軸受４０とは、バネ押圧軸受４０が一次転写ローラー２１の軸方向中央に比較的近い内側、規制部材２８が比較的遠い外側に配置されている。自重押圧時に滑動軸受３０，３０間による長いスパン（＝一次転写ローラー２１の支持スパン）を確保し、一次転写ローラー２１の軸２１ａを安定させることがでる。これにより、比較的低圧の第２転写圧の一次転写ローラー２１の長手方向における均衡を良好に保つことができる。
【００３３】
以上説明した実施形態によれば、電子写真式の画像形成装置においてトナー像を転写する転写圧を切替可能にする転写圧切替機構において、重力の普遍性により長期に亘って所望の第２転写圧を維持することができ、適正転写圧の異なる記録媒体に形成する画像の品質を向上することができる。
また、比較的高圧の第１転写圧をバネ力により実現し、比較的低圧の第２転写圧を転写ローラー（２１）の自重により実現するので、別途、重量物を装備する必要がないから、大型化及び重量増を回避することができるとともに、転写ローラー（２１）の自重による押圧より高圧の第１転写圧も得ることができ、適正転写圧の異なる記録媒体に形成する画像の品質を向上することができる。
【符号の説明】
【００３４】
１     感光体ドラム
１ａ   中心軸
２     中間転写ユニット
２１   一次転写ローラー
２１ａ 軸
２２   中間転写ベルト
２３   一次転写ローラー保持部
２４   可動パネル
２４ａ 規制溝
２５   バネ
２６   規制軸
２７   フレーム
２８   規制部材
２９   規制溝
３０   滑動軸受
４０   バネ押圧軸受
４０ａ 軸受面
４０ｂ 幅狭部分
４０ｃ 幅広部分
４０ｄ 上側面
４０ｄ１，４０ｅ１   案内傾斜
４０ｅ 下側面
４０ｆ 上側面
４０ｇ 下側面
４１   押圧バネ
４２   規制溝
５１   第１カム
５２   第２カム
５３   カム駆動ギア
５４   カム駆動軸
６０   給電経路
Ｘ     押圧方向
Ｙ     ローラー軸方向
Ｚ     鉛直方向
【図１】
2020173305.tif 000003
【図２】
2020173305.tif 000004
【図３】
2020173305.tif 000005
【図４】
2020173305.tif 000006
【図５】
2020173305.tif 000007
【図６】
2020173305.tif 000008
【図７】
2020173305.tif 000009
【図８】
2020173305.tif 000010
【図９】
2020173305.tif 000011
【図１０】
2020173305.tif 000012
【図１１】
2020173305.tif 000013